(57)【特許請求の範囲】
【請求項１】
２重母線方式における２つの母線が上下に水平に配置され、
母線側接地開閉器を配置した母線側機器ユニットと、
前記２つの母線に対して直角の水平方向に配置した母線側断路器と遮断器と線路側断路器を連続的に配置したフィーダー回線ユニットと、
前記２つの母線に対して直角の水平方向に配置した母線側断路器と前記２つの母線を接続する遮断器を連続的に配置した母線連絡回線ユニットと、
を有する母線前面配置のガス絶縁開閉装置において、
前記母線側機器ユニットの前記母線側接地開閉器には前記母線の母線軸に対しほぼ直角方向の上部あるいは下部に操作ロッドを配置し、
前記フィーダー回線ユニットおよび前記母線連絡回線ユニットの前記母線側断路器には、前記母線の母線軸に対しほぼ直角方向の下部に前記操作ロッドを配置し、
前記各操作ロッドには該操作ロッドを駆動させるための操作器をそれぞれ連結し、
前記各操作器は前記各操作ロッドの延長方向にそれぞれ配置し、
前記各ユニットにおける母線の中心から遮断器のある方向と反対方向の距離が何れもほぼ同じ長さであることを特徴とするガス絶縁開閉装置。
【請求項２】
前記母線側機器ユニットは母線側計器用変圧器を含み、
前記計器用変圧器を、前記母線の母線軸に対しほぼ直角方向に、且つ前記遮断器方向に水平に配置したことを特徴とする請求項１に記載のガス絶縁開閉装置。
【発明の詳細な説明】
【発明の属する技術分野】
【０００１】
本発明は、母線前面配置のガス絶縁開閉装置に係り、特に、母線側接地開閉器を操作する操作器の配置構成に改良を加えたガス絶縁開閉装置に関するものである。
【背景技術】
【０００２】
一般に、ガス絶縁開閉装置は、母線側接地開閉器を配置した母線側機器ユニットと、母線を含む母線側断路器と遮断器と線路側機器を連続的に配置したフィーダー回線ユニットが連続的に配置され、構成されている。なお、線路側機器とは、線路側断路器や線路側接地開閉器、あるいは電力ケーブルなどの機器が含まれている。
【０００３】
また、ガス絶縁開閉装置は、母線前面配置を採用した回線が複数で構成され、母線部で機械的、電気的に接続され、同じ方向に併設されている。さらには、母線の電圧有無の状態を確認するために、母線側接地開閉器や計器用変圧器などを有する母線側機器も必要であり、前記回線の母線に接続されている。このとき、接地開閉器には操作ロッドを介して操作器が連結されている。
【０００４】
ところで、母線側機器ユニットにおける母線側接地開閉器の操作器の配置構成としては、次のようなものが提案されている。例えば、特許文献１記載の技術では、計器用変圧器を母線に対して遮断器と同じ方向に設け、一方、母線側接地開閉器の操作ロッドを母線に対して遮断器と反対方向に設け、操作器を遮断器と反対方向に配置している。
【０００５】
また、特許文献２記載の技術では、母線側機器ユニットのガス容器を、母管と、該母管に交差する分岐管とで十字形状に形成し、操作器を遮断器とは反対方向の分岐管に取り付けている。さらに、特許文献３記載の技術においては、連結リンクを介して、操作器を操作軸の上下方向に対向して配置し、互いに反対方向に導出するようになっている。
【０００６】
【特許文献１】特開２００３−２１９５２０号公報
【特許文献２】特開平１０−３０４５２１号公報
【特許文献３】特開平３−１５９５０６号公報
【発明の開示】
【発明が解決しようとする課題】
【０００７】
しかしながら、上記の従来技術には次のような問題点が指摘されていた。すなわち、特許文献１記載のガス絶縁開閉装置の構成においては、母線側接地開閉器の操作器が母線に対して遮断器と反対方向に配置されている。このため、ガス絶縁開閉装置としての長さは回線長さだけでは決まらず、前記母線側接地開閉器の操作器の出っ張り分相当がその回線長さに加算されることになった。その結果、ガス絶縁開閉装置が大型化するといった不具合が生じていた。
【０００８】
また、特許文献２記載の技術では、操作器を遮断器とは反対方向の分岐管に取り付けているので、その分だけ、回線方向の長さが延びている。さらに、特許文献３記載の技術においても、操作器を母線に対して遮断器と反対方向に配置しているため、同じく回線方向の長さが延びるといった事態を招いていた。
【０００９】
このように、ガス絶縁開閉装置に複数の回線や母線機器が組み込まれている場合、ガス絶縁開閉装置の長さは回線の長さのみでは決まらず、母線側機器の配置にも影響され、大型化を招く要因となっていた。したがって、ガス絶縁開閉装置の長さの短縮化を図るべく、母線側機器の配置構成から影響を受けることなく、回線の長さのみで装置の長さが決定されるコンパクトなガス絶縁開閉装置が待たれていた。
【００１０】
本発明は、上述した課題を解決するためになされたものであり、母線側接地開閉器の操作ロッドの配置構成に改良を加えることにより、回線方向の長さ寸法の増大を抑えて、小型化可能なガス絶縁開閉装置を得ることを目的としている。
【課題を解決するための手段】
【００１１】
上記目的を達成するために、本発明は、２重母線方式における２つの母線が上下に水平に配置され、母線側接地開閉器を配置した母線側機器ユニットと、前記２つの母線に対して直角の水平方向に配置した母線側断路器と遮断器と線路側断路器を連続的に配置したフィーダー回線ユニットと、前記２つの母線に対して直角の水平方向に配置した母線側断路器と前記２つの母線を接続する遮断器を連続的に配置した母線連絡回線ユニットと、を有する母線前面配置のガス絶縁開閉装置において、前記母線側機器ユニットの前記母線側接地開閉器には前記母線の母線軸に対しほぼ直角方向の上部あるいは下部に操作ロッドを配置し、前記フィーダー回線ユニットおよび前記母線連絡回線ユニットの前記母線側断路器には、前記母線の母線軸に対しほぼ直角方向の下部に前記操作ロッドを配置し、前記各操作ロッドには該操作ロッドを駆動させるための操作器をそれぞれ連結し、前記各操作器は前記各操作ロッドの延長方向にそれぞれ配置し、前記各ユニットにおける母線の中心から遮断器のある方向と反対方向の距離が何れもほぼ同じ長さであることを特徴とする。
ものである。
【発明の効果】
【００１２】
本発明のガス絶縁開閉装置によれば、母線側接地開閉器の操作ロッドを母線軸に対して上下方向にほぼ直交する方向に配置し、その延長上に操作器を配設することで、遮断器の反対方向への出っ張りを無くすことができ、回線方向の長さを長くすることがなく、装置の小型化を実現することをできた。
【発明を実施するための最良の形態】
【００１３】
以下、本発明に係るガス絶縁開閉装置の実施形態の一例について、図面を参照して具体的に説明する。なお、下記の実施形態は母線前面配置のガス絶縁開閉装置に係るものである。
【００１４】
（１）代表的な実施形態
[構成]
まず、図１〜図５を用いて、本発明に係る代表的な実施形態について説明する。図１は母線側機器ユニットにおける機器構成の側面図、図２はフィーダー回線ユニットにおける機器構成の側面図、図３は母線連絡回線ユニットにおける機器構成の側面図である。
【００１５】
また、図４はガス絶縁開閉装置の代表的な二重母線方式の単線結線図で４つのフィーダー回線と１つの母線連絡回路及び１つの母線機器の回路の各ユニットから構成されている。本実施形態は図４の単線結線図に示すように２重母線方式で表現されているが、単母線方式のガス絶縁開閉装置にも適用可能である。
【００１６】
さらに図５は本実施形態の平面図である。この図５に示すように、本実施形態に係るガス絶縁開閉装置は各ユニットが連続的に接続されて構成されている。なお、図５における符号Ｌは、ガス絶縁開閉装置の回線方向の長さを示している。
【００１７】
フィーダー回線ユニットの機器構成について図２を用いて説明する。すなわち、母線１ａ、１ｂは上下に水平配置されており、母線側断路器２ａ、２ｂが母線１ａ、１ｂと直角の水平方向に配置されている。母線側断路器２ａ、２ｂの下部には、これら母線側断路器２ａ、２ｂの操作ロッドを駆動させるための操作軸３ａ、３ｂが取り付けられており、操作軸３ａ、３ｂを介して操作器４ａ、４ｂが設置されている。操作器４ａ、４ｂは母線１ａ、１ｂのほぼ下部に配置されている。
【００１８】
母線側断路器２ｂには保守点検用として遮断器８の母線側接地開閉器５が設けられている。母線側断路器２ａ、２ｂの延長上には変流器６、遮断器本体８、変流器７が連続的に接続されている。なお、変流器６、遮断器本体８、変流器７は遮断器ユニット用のガス容器８Ａに収納されている。変流器７の端子には線路側機器、つまり保守点検用である遮断器８の母線側接地開閉器９、線路側断路器１０、さらには線路側接地開閉器１１が接続されており、上部に線路側計器用変圧器１２が配置され、下部には電力ケーブル１３がそれぞれ配置されている。
【００１９】
次に、母線連絡回線ユニットの機器構成を図３に示す。すなわち、母線１ａ、１ｂには上記フィーダー回線と同じ構成で、母線側断路器２ａ、２ｂが配置されており、保守点検用の遮断器８の接地開閉器１４ａ、１４ｂが母線１ａ、１ｂ側に設けられている。これら保守点検用の接地開閉器１４ａ、１４ｂには変流器６、７が各々に接続され、遮断器８と接続されている。
【００２０】
続いて、本実施形態の主要部である母線側機器ユニットの機器構成について、図１を参照して説明する。すなわち、母線１ａ、１ｂに対して母線側接地開閉器１５ａ、１５ｂの操作ロッド１６ａ、１６ｂがほぼ直角に上下方向に設けられており、各々の操作器１７ａ、１７ｂが操作ロッド１６ａ、１６ｂの延長方向に配置されている。母線側計器用変圧器１８ａ、１８ｂは上下水平で、且つ遮断器８方向に延びて接続されている。
【００２１】
[作用効果]
以上のような構成を有する本実施形態の作用効果は次の通りである。すなわち、フィーダー回線ユニット、母線連絡回線ユニット、母線側機器ユニットにおいて、各ユニットにおける母線１ａ、１ｂの中心からの遮断器８と反対方向の距離Ｌ３（図２に図示）、Ｌ４（図３に図示）、Ｌ５（図１に図示）は、いずれもほぼ同じ長さ寸法となっており、ガス絶縁開閉装置の回線方向長さＬ（図５に図示）は、フィーダー回線の長さＬ１（図２に図示）や、母線連絡回線の長さＬ２（図３に図示）によって決定することができる。
【００２２】
これは、母線側機器ユニットにおける母線１ａ、１ｂの中心からの出っ張り長さＬ５は、他のユニットにおける出っ張り長さＬ３、Ｌ４とほぼ同じとなり、ガス絶縁開閉装置回線長さ方向に影響を及ぼすことがないからである。しかも、母線用接地開閉器１７ａ、１７ｂは母線１ａ、１ｂの上下に配置されているので、従来ではデッドスペースとなっていた空間を有効利用することが可能である。
【００２３】
このように、本実施形態によれば、母線側接地開閉器１５ａ、１５ｂの操作ロッド１６ａ、１６ｂを、母線１ａ、１ｂの母線軸に対して上下方向にほぼ直交する方向に配置し、その延長上に操作器１７ａ、１７ｂを配設することで、遮断器本体８の反対方向への出っ張りを無くすことができ、ガス絶縁開閉装置の高さ方向も大きくならない。その結果、ガス絶縁開閉装置全体を縮小化することが可能である。
【００２４】
（２）他の実施形態
本発明は上記の実施形態に限定されるものではなく、各機器の構成や配置は適宜変更可能である。具体的には、図６や図７に示すような実施形態も包含する。なお、図６や図７に示した実施形態において、上記第１の実施形態と同一の部材に関しては同一符号を付し、重複する説明は省略する。
【００２５】
図６に示した実施形態では、上部側の母線１ａにおける母線側接地開閉器１５ａの操作器１７ａを下部に配置し、上下の母線側接地開閉器１５ａ、１５ｂの操作器１７ａ、１７ｂを共に下部方向に合わせるようにしている。また、図７の実施形態においては、下部側の母線１ａの母線側接地開閉器１５ｂの操作器１７ｂを上部に配置し、上下の母線側接地開閉器１５ａ、１５ｂの操作器１７ａ、１７ｂを共に上部方向に合わせている。
【００２６】
これら図６及び図７に示した実施形態によれば、上記の代表的な実施形態の持つガス絶縁開閉装置の縮小化といった作用効果に加えて、母線用接地開閉器１５ａ、１５ｂを同じ構造で構成できる。そのため、機器の標準化が進めることが可能であり、経済性の向上を図ることができる。
【符号の説明】
【００２７】
１ａ、１ｂ…母線
２ａ、２ｂ…母線側断路器
３ａ、３ｂ…母線側断路器の操作軸
４ａ、４ｂ…母線側断路器の操作器
６、７…変流器
８…遮断器本体
８Ａ…遮断器ユニット用のガス容器
９…母線側接地開閉器
１０…線路側断路器
１１…線路側接地断路器
１２…線路側計器用変圧器
１３…電力ケーブル
１４ａ、１４ｂ…保守点検用の接地開閉器
１５ａ、１５…母線側接地開閉器
１６ａ、１６ｂ…母線側接地開閉器の操作ロッド
１７ａ、１７ｂ…母線側接地開閉器の操作器
１８ａ、１８ｂ…母線側計器用変圧器
Ｌ…ガス絶縁開閉装置の回線方向の長さ
Ｌ１…フィーダー回線の長さ
Ｌ２…母線連絡回線の長さ
Ｌ３…フィーダー回線ユニットにおける遮断器と反対方向の距離
Ｌ４…母線連絡回線ユニットにおける遮断器と反対方向の距離
Ｌ５…母線側機器ユニットにおける遮断器と反対方向の距離
【図面の簡単な説明】
【００２８】
【図１】本発明に係る代表的な実施形態における母線側機器ユニットの側面図。
【図２】代表的な実施形態におけるフィーダー回線ユニットの側面図。
【図３】代表的な実施形態における母線連絡回線ユニットの側面図。
【図４】代表的な二重母線方式の単線結線図。
【図５】代表的な実施形態の平面図。
【図６】本発明に係る他の実施形態における母線側機器ユニットの側面図。
【図７】本発明に係る他の実施形態における母線側機器ユニットの側面図。
【図１】
0005086857.tif 000002
【図２】
0005086857.tif 000003
【図３】
0005086857.tif 000004
【図４】
0005086857.tif 000005
【図５】
0005086857.tif 000006
【図６】
0005086857.tif 000007
【図７】
0005086857.tif 000008